(57)【要約】【課題】柱の大きさに合わせて設置でき、かつ熟練者でなくても短時間に設置、解体が可能であり、更に液晶モニタの高さの変更可能な簡易型デジタルサイネージを提供する。【解決手段】駅構内、商業施設内等に設けられている柱を抱え込む形で設置される簡易型デジタルサイネージにおいて、柱の周りに立てられる４本の支柱部２０と、４本の支柱部２０の上端部同士及び下端部同士をそれぞれ連結する８本の梁部３０と、支柱部２０の間に架け渡されるとともに、液晶モニタを支持する中間梁４０であって、支柱部２０の任意の高さに取付可能な中間梁４０と、各支柱部２０の間の４面に取り付けられる４枚のパネルであって、液晶モニタが臨む開口が形成された４枚のパネルと、４枚のパネルを支柱部２０に固定するためのコーナーカバーとから構成され、梁部３０及び中間梁４０は、それぞれ柱の大きさに合わせて伸縮自在な構成を有することを特徴としている。【選択図】  図２
2011150012.tif 000002
【特許請求の範囲】
【請求項１】
駅構内、商業施設内等に設けられている柱を抱え込む形で設置される簡易型デジタルサイネージにおいて、
前記柱の周りに立てられる４本の支柱部と、
前記４本の支柱部の上端部同士及び下端部同士をそれぞれ連結する８本の梁部と、
前記支柱部の間に架け渡されるとともに、薄型モニタを支持する中間梁であって、前記支柱部の上端部及び下端部を除く任意の高さに取付可能な中間梁と、
前記支柱部の間に取り付けられる４枚のパネルであって、前記薄型モニタが臨む開口が形成された４枚のパネルと、を備え、
前記梁部及び中間梁は、それぞれ前記柱の大きさに合わせて伸縮自在な構成を有することを特徴とする簡易型デジタルサイネージ。
【請求項２】
前記梁部の中央には、前記柱に当接するパッドを有する揺れ防止用のアジャスタが設けられていることを特徴とする請求項１に記載の簡易型デジタルサイネージ。
【請求項３】
前記梁部は、前記支柱部の上端部及び下端部から横方向に延びる中空の第１の梁と、隣接する支柱部の前記第１の梁の外側又は内側に摺動自在に挿入される第２の梁と、前記第１の梁と第２の梁とを相互に固定する固定ねじとから構成されていることを特徴とする請求項１又は２に記載の簡易型デジタルサイネージ。
【請求項４】
前記支柱部は、２本の角筒が隣接するように連結されて構成され、各角筒には、前記中間梁の両端部に形成されたフックを掛けるための取付孔が長手方向に複数形成され、前記中間梁の両端部には、前記角筒に形成された取付孔に掛けるフックが形成されていることを特徴とする請求項１から３のいずれかに記載の簡易型デジタルサイネージ。
【請求項５】
前記薄型モニタは、前記支柱部の角筒の外形寸法以下の厚みのものが使用されることを特徴とする請求項４に記載の簡易型デジタルサイネージ。
【請求項６】
前記中間梁は、前記フックが左端に設けられた中空の第１の角筒と、前記フックが右端に設けられた中空の第２の角筒と、前記第１、第２の角筒の外側又は内側に摺動自在に挿入される第３の角筒と、前記第１の角筒と第３の角筒及び第１の角筒と第３の角筒とを相互に固定する固定ねじとから構成されていることを特徴とする請求項４又は５に記載の簡易型デジタルサイネージ。
【請求項７】
前記４枚のパネルを前記支柱部に固定するためのコーナーカバーを備え、
前記支柱部の上端部及び下端部には、前記コーナーカバーをねじ止めするための雌ねじが形成されたカバー取付金具が取り付けられていることを特徴とする請求項１から６のいずれかに記載の簡易型デジタルサイネージ。
【請求項８】
前記コーナーカバーの前記カバー取付金具に対向する位置には、ねじ取付部が形成され、前記コーナーカバーは、雄ねじにより該コーナーカバーのねじ取付部が前記カバー取付金具に固定されると、前記支柱部とコーナーカバーとの間に前記パネルの両端を挟み付けて固定することを特徴とする請求項７に記載の簡易型デジタルサイネージ。
【請求項９】
前記コーナーカバーを固定する前記雄ねじを目隠しするためのテープが、前記コーナーカバーの長手方向にわたって貼られていることを特徴とする請求項８に記載の簡易型デジタルサイネージ。
【発明の詳細な説明】
【技術分野】
【０００１】
本発明は簡易型デジタルサイネージに係り、特に駅構内、商業施設内等に設けられている柱を抱え込む形で設置される簡易型デジタルサイネージに関する。
【背景技術】
【０００２】
従来、柱を囲む四角形断面のボックス型の枠体の少なくとも１面にディスプレイ装置を取り付け、このディスプレイ装置の表面側をカバーするドアパネルであって、その中央部に透明なポリカーボネート板が取り付けられたドアパネルを枠体に開閉可能に装着し、ドアパネルの透明なポリカーボネート板を介してディスプレイ装置の画像を視認できるようにしたボックス型ディスプレイ装置が提案されている（特許文献１）。
【先行技術文献】
【特許文献】
【０００３】
【特許文献１】特開２００９−３０１００９号公報
【発明の概要】
【発明が解決しようとする課題】
【０００４】
この種のデジタルサイネージの利用方法としては、広告主の依頼に応じて駅構内の多数の柱に同じデジタルサイネージを短期間設置し、駅利用者への初期の訴求効果が達成されると、柱から撤去する方法がある。
【０００５】
この場合、デジタルサイネージは、駅構内の柱の大きさに対して柔軟に対応できる必要があり、また、多数のデジタルサイネージを終電から始発までの短時間に設置や撤去できることが要求される。
【０００６】
また、モニタの高さや向き（縦向き、横向き）等を広告主の要求に応じて変更できることが望ましい。
【０００７】
特許文献１に記載のボックス型ディスプレイ装置は、その大きさが固定されているため、柱に常設する場合には問題がないが、種々の大きさの柱に設置するには適さず、特にボックス型ディスプレイ装置よりも大きな柱には設置することができず、また、ボックス型ディスプレイ装置よりも十分に小さい柱に対しては、その柱の周囲のスペースを無駄に占有してしまい、駅構内の柱の利用許可が得られないという問題がある。
【０００８】
特許文献１に記載のボックス型ディスプレイ装置は、枠体に開閉可能なドアパネル等を有しており、部品点数が多く構造が複雑であり、組み立てに熟練度や時間を要し、また、ディスプレイ装置の位置を変更することができないようになっている。
【０００９】
本発明はこのような事情に鑑みてなされたもので、柱の大きさに合わせて設置でき、かつ熟練者でなくても短時間に設置、解体が可能であり、更にモニタの高さ等を任意に変更することができる簡易型デジタルサイネージを提供することを目的とする。
【課題を解決するための手段】
【００１０】
前記目的を達成するために請求項１に係る発明は、駅構内、商業施設内等に設けられている柱を抱え込む形で設置される簡易型デジタルサイネージにおいて、前記柱の周りに立てられる４本の支柱部と、前記４本の支柱部の上端部同士及び下端部同士をそれぞれ連結する８本の梁部と、前記支柱部の間に架け渡されるとともに、薄型モニタを支持する中間梁であって、前記支柱部の上端部及び下端部を除く任意の高さに取付可能な中間梁と、前記支柱部の間に取り付けられる４枚のパネルであって、前記薄型モニタが臨む開口が形成された４枚のパネルと、を備え、前記梁部及び中間梁は、それぞれ前記柱の大きさに合わせて伸縮自在な構成を有することを特徴としている。
【００１１】
上記構成の簡易型デジタルサイネージは、広告主等の依頼に応じて駅構内の柱に短期間設置し、駅利用者への初期の訴求効果が達成されると、柱から撤去される簡易型のもので、前記梁部及び中間梁を伸縮させることにより、駅構内の種々の大きさ、形状の柱に柔軟に対応できる構成となっている。
【００１２】
これにより、４枚のパネルを除いて、簡易型デジタルサイネージの構成部材を共通に使用することができ、また、薄型モニタを任意の高さに設置することができる。尚、４枚のパネルは、予め横幅の異なるもの、及び薄型モニタが臨む開口の位置が異なるものを複数用意しておくか、又は設置場所の柱に応じてその都度制作する。また、４枚のパネルには、広告主等の依頼に応じて任意のプリント装飾を施すことができる。
【００１３】
請求項２に示すように請求項１に記載の簡易型デジタルサイネージにおいて、前記梁部の中央には、前記柱に当接するパッドを有する揺れ防止用のアジャスタが設けられていることを特徴としている。尚、前記アジャスタは、４本の支柱部の上端部同士をそれぞれ連結する４本の梁部のみに設けるようにしてもよく、また、８本の全ての梁部に設けるようにしてもよい。
【００１４】
請求項３に示すように請求項１又は２に記載の簡易型デジタルサイネージにおいて、前記梁部は、前記支柱部の上端部及び下端部から横方向に延びる中空の第１の梁と、隣接する支柱部の前記第１の梁の外側又は内側に摺動自在に挿入される第２の梁と、前記第１の梁と第２の梁とを相互に固定する固定ねじとから構成されていることを特徴としている。
【００１５】
前記第１の梁と第２の梁とは相互に摺動自在に係合しており、これにより前記梁部の長さを調整できるようになっている。また、前記固定ねじにより前記第１の梁と第２の梁とが摺動しないように固定することにより梁として機能する。前記固定ねじとしては、蝶ねじを使用することができる。
【００１６】
請求項４に示すように請求項１から３のいずれかに記載の簡易型デジタルサイネージにおいて、前記支柱部は、２本の角筒が隣接するように連結されて構成され、各角筒には、前記中間梁の両端部に形成されたフックを掛けるための取付孔が長手方向に複数形成され、前記中間梁の両端部には、前記角筒に形成された取付孔に掛けるフックが形成されていることを特徴としている。
【００１７】
これにより中間梁の高さ（該中間梁に固定される薄型モニタの高さ）を任意に調整することができる。
【００１８】
請求項５に示すように請求項４に記載の簡易型デジタルサイネージにおいて、前記薄型モニタは、前記支柱部の角筒の外形寸法以下の厚みのものが使用されることを特徴としている。即ち、薄型モニタとして、前記支柱部の角筒の外形寸法以下の厚みのものを使用することにより、薄型モニタの厚みのために簡易型デジタルサイネージの厚みを大きくとる必要がなく、簡易型デジタルサイネージの薄型化を可能にしている。
【００１９】
請求項６に示すように請求項４又は５に記載の簡易型デジタルサイネージにおいて、前記中間梁は、前記フックが左端に設けられた中空の第１の角筒と、前記フックが右端に設けられた中空の第２の角筒と、前記第１、第２の角筒の外側又は内側に摺動自在に挿入される第３の角筒と、前記第１の角筒と第３の角筒及び第１の角筒と第３の角筒とを相互に固定する固定ねじとから構成されていることを特徴としている。
【００２０】
前記第１の角筒と第３の角筒、及び第２の角筒と第３の角筒とは相互に摺動自在に係合しており、これにより前記中間梁の長さを調整できるようになっている。また、前記固定ねじにより前記第１の角筒と第３の角筒、及び第２の角筒と第３の角筒とが摺動しないように固定することにより梁として機能する。前記固定ねじとしては、蝶ねじを使用することができる。
【００２１】
請求項７に示すように請求項１から６のいずれかに記載の簡易型デジタルサイネージにおいて、前記４枚のパネルを前記支柱部に固定するためのコーナーカバーを備え、前記支柱部の上端部及び下端部には、前記コーナーカバーをねじ止めするための雌ねじが形成されたカバー取付金具が取り付けられていることを特徴としている。
【００２２】
請求項８に示すように請求項７に記載の簡易型デジタルサイネージにおいて、前記コーナーカバーの前記カバー取付金具に対向する位置には、ねじ取付部が形成され、前記コーナーカバーは、雄ねじにより該コーナーカバーのねじ取付部が前記カバー取付金具に固定されると、前記支柱部とコーナーカバーとの間に前記パネルの両端を挟み付けて固定することを特徴としている。
【００２３】
請求項９に示すように請求項８に記載の簡易型デジタルサイネージにおいて、前記コーナーカバーを固定する前記雄ねじを目隠しするためのテープが、前記コーナーカバーの長手方向にわたって貼られていることを特徴としている。これにより、悪戯等によりコーナーカバーが外されることを予防することができるとともに、外観を整えることができる。
【発明の効果】
【００２４】
本発明によれば、駅構内などの種々の大きさ、形状の柱にフィットする薄型の簡易型デジタルサイネージを提供することができ、また、パネル面に臨む薄型モニタを任意の高さに設置することができる。
【図面の簡単な説明】
【００２５】
【図１】図１は本発明に係る簡易型デジタルサイネージの外観を示す斜視図
【図２】図２は簡易型デジタルサイネージのフレームを示す斜視図
【図３】図３は簡易型デジタルサイネージの支柱部及び梁部の詳細を示す斜視図
【図４】図４はカバー取付金具の斜視図
【図５】図５はカバー取付金具、コーナーカバー及び支柱部を構成する角筒との関係を示す要部断面図
【図６】図６はカバー取付金具、コーナーカバー及び支柱部を構成する角筒との関係を示す要部断面図
【図７】図７は支柱部の上部を示す側面図
【図８】図８は中間梁に取り付けられた液晶モニタの背面側を示す斜視図
【図９】図９は中間梁に取り付けられた液晶モニタの側断面図
【発明を実施するための形態】
【００２６】
以下、添付図面に従って本発明に係る簡易型デジタルサイネージの実施の形態について説明する。
【００２７】
図１は本発明に係る簡易型デジタルサイネージの外観を示す斜視図であり、図２はそのフレームを示す斜視図である。
【００２８】
図１及び図２に示すように、この簡易型デジタルサイネージ１０は、駅構内、商業施設内等に設けられている柱（円柱）１２を抱え込む形で設置されるもので、主として４本の支柱部２０と、各支柱部２０の上端部同士及び下端部同士をそれぞれ連結する８本の梁部３０と、各支柱部２０の間に架け渡される８本の中間梁４０と、各支柱部２０の間に取り付けられる４枚のパネル５０と、前記中間梁４０に固定される４つの薄型モニタ（液晶モニタ）６０とから構成されている。
【００２９】
図３は上記支柱部２０及び梁部３０の詳細を示す斜視図である。
【００３０】
図３に示すように支柱部２０は、コ字状の中空の２本の角筒２２が互いに直交するように配置され、２本の角筒２２の上端と下端には、図示しないロッドピンが植設された上板材２４、下板材２６が取り付けられる。尚、下板材２６には、高さ調整用のアジャスタ２８が取り付けられている。
【００３１】
コ字状の角筒２２の上端部及び下端部から横方向に延びる角筒２２Ａは、梁部３０の一部を構成する梁（第１の梁）として機能する。
【００３２】
梁部３０は、上記角筒２２Ａ（第１の梁）と、角筒２２Ａの外側に摺動自在に挿入される角筒（第２の梁）３２とにより伸縮自在に構成されている。角筒３２の両端近傍には、それぞれ蝶ねじ３４が取り付けられており、この蝶ねじ３４により角筒２２Ａと角筒３２とを相互に固定できるようになっている。
【００３３】
また、支柱部２０の２本の角筒２２の内側の面には、中間梁４０を取り付けるための取付孔（長孔）２２Ｂが形成されている。
【００３４】
因みに、この実施形態の角筒２２の高さは１９００ｍｍ、断面の外形は２５ｍｍ×２５ｍｍ、第１の梁となる角筒２２Ａの長さは３００ｍｍである。また、第２の梁となる角筒３２の長さは５００ｍｍ、断面の外形は２５ｍｍ×２５ｍｍである。
【００３５】
この簡易型デジタルサイネージ１０は、上記伸縮自在の梁部３０により直径５００Φ〜８００Φの柱に取り付けることができる。
【００３６】
図４は支柱部２０を構成する２本の角筒２２の上端部及び下端部に取り付けられるカバー取付金具７０、７２の斜視図である。
【００３７】
図５に示すようにカバー取付金具７０、７２は、２本の角筒２２を挟み付け、雄ねじ６４をカバー取付金具７０を介してカバー取付金具７２の雌ねじ６２Ａに螺合させることにより、２本の角筒２２に固定されるとともに、２本の角筒２２を互いに固定することができる。
【００３８】
図２に示した４角柱のフレームの４つの側面にパネル５０（図１）を取り付ける場合には、図６に示すようにパネル５０の両端を角筒２２に当接させるとともに、下板材２６の上に載せる。続いて、パネル５０の上からコーナーカバー８０を押し当てるとともに、下板材２６の上に載せる。
【００３９】
ここで、コーナーカバー８０は、図１に示すようにパネル５０（支柱部２０）と同じ長さを有している。また、コーナーカバー８０の上部及び下部の内側には、図６に示すようにねじ取付金具７２が固定されており、このねじ取付金具７２に対向するコーナーカバー８０の位置には、図６に示す雄ねじ７６のねじ頭が入る開口（図示せず）が形成されている。そして、図６に示すように雄ねじ７６をコーナーカバー８０の開口及びねじ取付金具７２を介してカバー取付金具７０の雌ねじ７０Ａに螺合させることにより、コーナーカバー８０をカバー取付金具７０（支柱部２０）に固定することができ、これによりパネル５０の両端を、支柱部２０の角筒２２とコーナーカバー８０との間で挟持することができる。
【００４０】
また、コーナーカバー８０の取付後、前記雄ねじ７６を目隠しするためのテープがコーナーカバー８０の長手方向にわたって貼り付けられる。これにより、悪戯等によりコーナーカバー８０が外されることを予防することができるとともに、外観を整えることができる。
【００４１】
図７は支柱部２０の上部を示す側面図である。図７には、支柱部２０を構成する２本の角筒２２の内側のカバー取付金具７０が、雄ねじ７４で固定されている様子が示されている。
【００４２】
図７に示すように梁部３０を構成する角筒（第２の梁）３２の中央には、柱１２に当接するパッドを有する揺れ防止用のアジャスタ９０が設けられている。そして、支柱部２０の上端側の４つの梁部３０に設けられたアジャスタ９０のパッドが、それぞれ柱１２に当接するようにアジャスタ９０を調整する。これにより、簡易型デジタルサイネージ１０の上端部の梁部３０が柱１２に固定され、簡易型デジタルサイネージ１０に外力が加えられても揺れないようにすることができる。
【００４３】
次に、液晶モニタ６０を支持する中間梁４０の詳細について説明する。
【００４４】
図８に示すように１本の中間梁４０は、支柱部２０を構成する角筒２２の取付孔２２Ｂに掛けられるフック４２Ａが左端に設けられた中空の角筒（第１の角筒）４２と、同様のフック４４Ａが右端に設けられた中空の角筒（第２の角筒）４４と、これらの角筒４２、４４の外側に摺動自在に挿入される中空の角筒（第３の角筒）４６とにより伸縮自在に構成されている。角筒４６の両端近傍には、それぞれ蝶ねじ４８が取り付けられており、この蝶ねじ４８により角筒４２と角筒４６、及び角筒４４と角筒４６とを相互に固定できるようになっている。
【００４５】
上記構成の中間梁４０は、梁部３０の長さに合わせてその長さが調整され、また、角筒２２に設けられた複数の取付孔２２Ｂのうちの任意の取付孔２２Ｂを選択してフック４２Ａ、４４Ａを掛けることにより、液晶モニタ６０を任意の位置に調整できるようになっている。
【００４６】
液晶モニタ６０は、角筒２２の厚み（２５ｍｍ）よりも薄い厚さ２０ｍｍの３２型液晶モニタであり、支柱部２０（角筒２２）の厚み範囲内に納めることができるようなっている。尚、液晶モニタ６０の画面サイズは、この実施形態のものに限らず、適宜変更可能である。また、液晶モニタ６０の代わりに、プラズマディスプレイ、有機ＥＬディスプレイ等の他の薄型ディスプレイを適用してもよい。
【００４７】
図９に示すように液晶モニタ６０の背面には、ＶＥＳＡ規格の壁掛け用のねじ孔を利用して、液晶モニタ６０を中間梁４０に掛けるための金具６２が取り付けられており、液晶モニタ６０は、この金具６２を中間梁４０に掛けることより中間梁４０に取り付けられる。
【００４８】
また、図９に示すように液晶モニタ６０の背面からの金具６２の突出量は、２５ｍｍになっている。これにより、簡易型デジタルサイネージ１０は、その外形寸法が柱の直径に対して１００ｍｍ程度大きくなるが、薄型化が実現されている。
【００４９】
尚、上記金具６２には、２つのねじ６４が取り付けられており、このねじ６４により液晶モニタ６０の高さ位置や傾きを微調整できるようになっている。また、図８に示す６６は、金具６２（液晶モニタ６０）が中間梁４０の左右方向に移動しないように固定するストッパである。
【００５０】
前述したように簡易型デジタルサイネージ１０のフレーム及び液晶モニタ６０は、直径５００Φ〜８００Φの柱に対して共通に使用することができるが、４枚のパネル５０は、予め横幅の異なるもの、及び液晶モニタ６０が臨む開口５０Ａの位置が異なるものを複数用意しておくか、又は設置場所の柱に応じてその都度制作する。また、４枚のパネル５０には、広告主等の依頼に応じて任意のプリント装飾を施すことができ、パネル５０と液晶モニタ６０に表示する画像により訴求効果を図ることができる。
【００５１】
尚、簡易型デジタルサイネージ１０は、４面の全てに液晶モニタ６０を設ける場合に限らず、少なくとも一面以上に液晶モニタ６０が設けられていればよい。また、液晶モニタ６０は、図１に示した実施形態のように縦に配置する場合に限らず、太い柱に対して設置する場合には、横に配置することも可能である。
【００５２】
また、本発明は上述した実施形態に限定されず、本発明の精神を逸脱しない範囲で種々の変形が可能であることは言うまでもない。
【符号の説明】
【００５３】
１０…簡易型デジタルサイネージ、１２…柱（円柱）、２０…支柱部、２２、２２Ａ、３２、４２、４４、４６…角筒、２２Ｂ…取付孔、３０…梁部、３４、４８…蝶ねじ、４０…中間梁、５０…パネル、６０…薄型モニタ（液晶モニタ）、７０、７２…カバー取付金具、８０…コーナーカバー
【図１】
2011150012.tif 000003
【図２】
2011150012.tif 000004
【図３】
2011150012.tif 000005
【図４】
2011150012.tif 000006
【図５】
2011150012.tif 000007
【図６】
2011150012.tif 000008
【図７】
2011150012.tif 000009
【図８】
2011150012.tif 000010
【図９】
2011150012.tif 000011